【手続補正書】
【提出日】平成14年12月27日(2002.12.27)
【手続補正１】
【補正対象書類名】明細書
【補正対象項目名】特許請求の範囲
【補正方法】変更
【補正の内容】
【特許請求の範囲】
【請求項１】
少なくとも一つのインク室が設けられてインクを貯蔵するカートリッジ本体を備えたインクジェット印刷装置用のインクカートリッジにおいて、
前記カートリッジ本体は、
前記インク室と外気との間で流体を通わせる少なくとも一つの通気孔と、
前記インク室からインクを供給する少なくとも一つのインク送出口と、
前記インク送出口内に設置されて送出口を封止する少なくとも一つの密封部材と、
前記インク室内に配置されてインクの流れを制御する少なくとも一つの一方向弁とを備え、
前記一方向弁は、
前記インク送出口の内壁を封じる支持脚部と、
前記支持脚部の内側から突出する支持壁部と、
前記支持壁部を内側に湾曲して構成する支持肩部と、
前記支持肩部から突出して貫通孔が設けられた支持頭部とが一体に設けられ、
圧力の差により前記貫通口を設けた前記支持頭部と選択的に接触する少なくとも一つの弁封止装置を備えたことを特徴とするインクカートリッジ。
【請求項２】
前記支持壁部は前記支持脚部から傾斜して突出することを特徴とする請求項１に記載のインクカートリッジ。
【請求項３】
前記支持肩部は前記支持壁部を内側に湾曲することにより形成した凹部を備えていることを特徴とする請求項１に記載のインクカートリッジ。
【請求項４】
前記支持頭部は前記支持肩部から傾斜して突出することを特徴とする請求項１に記載のインクカートリッジ。
【請求項５】
前記支持頭部の中心貫通孔は円錐状の孔であることを特徴とする請求項１に記載のインクカートリッジ。
【請求項６】
前記支持頭部の傾斜角度は前記支持壁部の傾斜角度より大きく形成されることを特徴とする請求項４に記載のインクカートリッジ。
【請求項７】
前記支持脚部の厚さは前記支持頭部の厚さより大きく形成され、前記支持頭部の厚さは前記支持肩部の厚さより大きく形成されることを特徴とする請求項１に記載のインクカートリッジ。
【請求項８】
前記インク送出口の壁部には前記弁を設置するための陥凹部が形成されていることを特徴とする請求項１に記載のインクカートリッジ。
【請求項９】
前記陥凹部の底壁にはフィルタ部材を設置するための円形の段部が形成されていることを特徴とする請求項８に記載のインクカートリッジ。
【請求項１０】
非作動状態において、前記一方向弁の支持頭部は少し圧縮された状態で前記弁封止装置と接触していることを特徴とする請求項１に記載のインクカートリッジ。
【請求項１１】
前記通気孔にはインクの漏出を防ぐためにインク漏れ防止装置が設けられていることを特徴とする請求項１に記載のインクカートリッジ。
【請求項１２】
前記インク漏れ防止装置は前記通気孔から前記インク室に向って突出させた突起であることを特徴とする請求項１１に記載のインクカートリッジ。
【請求項１３】
前記インク漏れ防止装置は前記通気孔の外周に被せた湾曲管であり、その一端は前記通気孔に接続し、他端はインク液面から露出させたことを特徴とする請求項１１に記載のインクカートリッジ。
【請求項１４】
前記インク漏れ防止装置は前記インク室内部に設置された袋状部材であって、前記通気孔に接続する開口端と、前記袋状部材の壁部に設けられた微孔とを備えたことを特徴とする請求項１１に記載のインクカートリッジ。
【請求項１５】
前記袋状部材は開口端を有する弾性気球であることを特徴とする請求項１４に記載のインクカートリッジ。
【請求項１６】
前記通気孔は前記インク室内に突出した突起と、前記袋状部材の開口端を固定する碗状の固定キャップとを備え、
前記固定キャップは、
前記突起の外周に嵌合する空洞と、
底部に設けられ前記通気孔の延長部分となる貫通孔と、
前記袋状部材の開口端を載置する肩部とを備えたことを特徴とする請求項１５に記載のインクカートリッジ。
【請求項１７】
前記インク室の底壁は前記インク送出口側に傾斜させたことを特徴とする請求項１に記載のインクカートリッジ。
【請求項１８】
前記インク室の底壁表面に少なくとも一つのインク導引溝を形成したことを特徴とする請求項１に記載のインクカートリッジ。
【請求項１９】
前記袋状部材を固定するために前記インク室の底壁に突起を設けたことを特徴とする請求項１４に記載のインクカートリッジ。
【請求項２０】
前記袋状部材の開口端は、カートリッジ本体壁部の前記通気孔が設けられた部分と略同寸法の開口を有することを特徴とする請求項１４に記載のインクカートリッジ。
【請求項２１】
前記袋状部材は数層の重複層を有することを特徴とする請求項２０に記載のインクカートリッジ。
【請求項２２】
前記通気孔は前記カートリッジ本体壁部に形成された不規則な空気導引孔を介して外部に通じていることを特徴とする請求項１に記載のインクカートリッジ。
【請求項２３】
前記空気導引孔の一部は前記壁部の表面に設けたことを特徴とする請求項２２に記載のインクカートリッジ。
【請求項２４】
前記通気孔が設けられた前記壁部の外表面に空気導引フィルムを設けたことを特徴とする請求項２２に記載のインクカートリッジ。
【請求項２５】
前記カートリッジ本体壁部にインク注入孔を設け、封止栓で塞いだことを特徴とする請求項１に記載のインクカートリッジ。
【請求項２６】
前記インク送出口内に設置される前記密封部材は、
内部に空洞を有し前記インク送出口の内壁に支持される支持部と、
前記支持部から突出した封止環部と、
前記封止環部と連結したブロック部と、
一定の圧力を加えた時に前記ブロック部が確実に分離するようにするため、前記封止環部と前記ブロック部との間に廻らせた接続部とを備えたことを特徴とする請求項１に記載のインクカートリッジ。
【請求項２７】
前記密封部材に内向きのテーパ面を設けたことを特徴とする請求項２６に記載のインクカートリッジ。
【請求項２８】
前記密封部材の円形の凹部が前記密封部材から前記ブロック部の分離を確実にすることを特徴とする請求項２６に記載のインクカートリッジ。
【請求項２９】
前記接続部の厚さが均等でないことを特徴とする請求項２６に記載のインクカートリッジ。
【請求項３０】
前記接続部の厚さは一方から他方に漸次増加することを特徴とする請求項２９に記載のインクカートリッジ。
【請求項３１】
前記インク送出口の壁部に前記密封部材上部の空洞に相通しゴム栓で塞がれる気体抽出孔を設けたことを特徴とする請求項１に記載のインクカートリッジ。
【請求項３２】
インク流量を制御するための一方向弁であって、
支持脚部と、
前記支持脚部の内側から突出する支持壁部と、
前記支持壁部を内側に湾曲して構成する支持肩部と、
前記支持肩部から突出して中心に貫通孔が設けられた支持頭部とを備えたことを特徴とする一方向弁。
【請求項３３】
前記支持肩部は前記支持壁部を内側に湾曲することにより形成した凹部を備えていることを特徴とする請求項３２に記載の一方向弁。
【請求項３４】
前記支持頭部は前記支持肩部から傾斜して突出することを特徴とする請求項３３に記載の一方向弁。
【請求項３５】
前記支持脚部の厚さは前記支持頭部の厚さより大きく形成され、前記支持頭部の厚さは前記支持肩部の厚さより大きく形成されることを特徴とする請求項３２に記載の一方向弁。
【請求項３６】
前記一方向弁と前記密封部材との間にインクガイド室が形成された請求項１に記載のインクカートリッジへのインク充填方法であって、
前記インクカートリッジを密封する工程と、
前記インクカートリッジのインクガイド室とインク室の内部の空気を吸引して内部を負圧にする工程と、
前記インクカートリッジに所定量のインクを注入する工程とを備えたことを特徴とするインク充填方法。
【請求項３７】
前記インクガイド室とインク室の内部の空気を吸引するために前記インクガイド室の壁部の空気抽出孔に吸引針を挿入する工程をさらに備えたことを特徴とする請求項３６に記載のインク充填方法。
【請求項３８】
請求項１に記載のインクカートリッジ用のインク充填装置において、
前記インクカートリッジの上蓋を密封するために用いる圧縮装置と、
インク供給容器と、
前記インクカートリッジに挿入され、パイプラインを介して前記インク供給容器に接続されるインク注入針と、
前記インク供給容器から前記インクカートリッジへのインクの流量を制御する流量制御装置と、
空気ポンプと、
一端で前記空気ポンプに接続され、他端で前記インクカートリッジの空気抽出孔に挿入される吸引針と、
前記流量制御装置と前記インク供給容器との間のパイプライン及び前記流量制御装置と前記インク注入針との間のパイプラインに別個に設けた２つの弁とを備えたことを特徴とするインク充填装置。
【手続補正２】
【補正対象書類名】明細書
【補正対象項目名】００５９
【補正方法】削除
【補正の内容】
【手続補正３】
【補正対象書類名】明細書
【補正対象項目名】００６０
【補正方法】削除
【補正の内容】
【手続補正４】
【補正対象書類名】明細書
【補正対象項目名】００６１
【補正方法】削除
【補正の内容】